(57)【特許請求の範囲】
【請求項１】
特定のプロファイルに従って、サービスに対するアクセスをエンドデバイスに提供するための方法であって、
移動体デバイスによって、前記特定のプロファイルを識別する情報および前記エンドデバイスを識別する情報を転送サーバに送信するステップと、
前記転送サーバが、前記情報に基づいて、データベースから前記特定のプロファイルを取得するステップと、
前記転送サーバが、前記特定のプロファイルに基づいて前記サービスを提供することが可能なサービスマネージャを識別するステップと、
前記転送サーバが、前記サービスに対するアクセスを前記エンドデバイスに提供するように前記サービスマネージャに要求するステップとを含み、
前記情報が、前記エンドデバイスと前記移動体デバイスとの間の近接性ベースの相互作用によって取得され、前記情報が、前記エンドデバイスを識別する第１の部分と、前記特定のプロファイルを識別する前記第２の部分とからなり、前記第２の部分が、前記移動体デバイス内に格納されていることを特徴とする、方法。
【請求項２】
前記方法が、前記移動体デバイスが別のエンドデバイスとの近接性ベースの相互作用によって前記情報の前記第２の部分を取得する、追加のステップを含むことを特徴とする、請求項１に記載の方法。
【請求項３】
前記移動体デバイスが、ＲＦＩＤタグ読取装置を有する移動体端末であり、前記エンドデバイスがＲＦＩＤタグを備え、前記ＲＦＩＤタグが、前記情報の前記第１の部分を含み、前記ＲＦＩＤタグ読取装置が、前記情報の前記第１の部分を捕捉し、前記移動体デバイスが、前記情報の前記第１の部分を、情報を取得するために前記情報の前記第２の部分と組み合わせて、前記情報を前記転送サーバに送信することを特徴とする、請求項１に記載の方法。
【請求項４】
前記移動体デバイスが、ＲＦＩＤタグ読取装置を有する移動体端末であり、前記エンドデバイスがＲＦＩＤタグを備え、前記ＲＦＩＤタグが、前記情報の前記第１の部分を含み、前記ＲＦＩＤタグ読取装置が、前記情報の前記第１の部分を捕捉し、前記移動体デバイスが、前記情報の前記第１の部分を、情報を取得するために前記情報の前記第２の部分と組み合わせて、前記情報を前記転送サーバに送信することを特徴とする、請求項２に記載の方法。
【請求項５】
前記移動体デバイスが、第１のＲＦＩＤ送受信機を有する移動体端末であり、前記エンドデバイスが第２のＲＦＩＤ送受信機を備え、前記情報の前記第１の部分が、前記第２の送受信機から前記第１の送受信機に送信され、前記移動体デバイスが、前記情報の前記第１の部分を、情報を取得するために前記情報の前記第２の部分と組み合わせて、前記情報を前記転送サーバに送信することを特徴とする、請求項１に記載の方法。
【請求項６】
前記移動体デバイスが、第１のＲＦＩＤ送受信機を有する移動体端末であり、前記エンドデバイスが第２のＲＦＩＤ送受信機を備え、前記情報の前記第１の部分が、前記第２の送受信機から前記第１の送受信機に送信され、前記移動体デバイスが、前記情報の前記第１の部分を、情報を取得するために前記情報の前記第２の部分と組み合わせて、前記情報を前記転送サーバに送信することを特徴とする、請求項２に記載の方法。
【請求項７】
前記エンドデバイスが第１のＩＰＴＶセットトップボックスであり、前記情報の前記第１の部分が、前記第１のＩＰＴＶセットトップボックスに特定のタグｉｄ、独自のセットトップボックス識別性、前記セットトップボックスに特定のサービス終点を指すユニフォームリソース識別子、前記セットトップボックスのＩＰアドレスのうち少なくともどれか１つを含むことを特徴とする、請求項３、４、５、または６に記載の方法。
【請求項８】
前記移動体デバイスが移動体電話であり、前記情報の前記第２の部分が、前記移動体電話に特定の移動体電話ｉｄ、前記移動体電話に関連する電話番号、前記移動体電話内のＳＩＭカードに特定の識別性、前記移動体電話を操作しているユーザに特定の識別性、ユーザ名のうち少なくともどれか１つを含むことを特徴とする、請求項３または５に記載の方法。
【請求項９】
前記エンドデバイスが第１のＰＣであり、前記情報の前記第１の部分が、前記ＰＣに特定のタグｉｄ、前記ＰＣに特定の識別性、前記ＰＣを操作しているユーザに特定の識別性、前記ＰＣを操作しているユーザのユーザ名、前記ＰＣのＩＰアドレスのうち少なくともどれか１つを含むことを特徴とする、請求項３または４に記載の方法。
【請求項１０】
請求項３または４に記載の方法を実現するための移動体端末であって、ＲＦＩＤタグ読取装置と、近接性ベースの相互作用によって、エンドデバイスを識別するタグから第１の情報を捕捉するように構成された捕捉手段と、サービスプロファイルに関係する第２の情報を格納するように構成された記憶手段と、前記エンドデバイスに提供されることになる前記サービスプロファイルに従って、サービスを示す、組み合わされた情報を取得するために、前記第１の情報および前記第２の情報を処理するように構成された処理手段と、前記組み合わされた情報を転送サーバに送信するように構成された送信手段とを含む、移動体端末。
【請求項１１】
請求項３による方法を実現するための移動体端末であって、ＲＦＩＤ送受信機と、エンドデバイス内に含まれた別の送受信機から前記エンドデバイスを識別する第１の情報を捕捉するように構成された捕捉手段と、サービスプロファイルに関係する第２の情報を格納するように構成された記憶手段と、前記エンドデバイスに提供されることになる前記サービスプロファイルに従って、サービスを示す、組み合わされた情報を取得するために、前記第１の情報および前記第２の情報を処理するように構成された処理手段と、前記組み合わされた情報を転送サーバに送信するように構成された送信手段とを含む、移動体端末。
【請求項１２】
請求項４に記載の方法を実現するための移動体端末であって、エンドデバイス内に含まれた第２のＲＦＩＤ送受信機から前記エンドデバイスを識別する第１の情報を捕捉するように構成された第１のＲＦＩＤ送受信機と、サービスプロファイルに関係する第２の情報を格納するように構成された記憶手段と、別のエンドデバイス内に含まれた第３のＲＦＩＤ送受信機から前記第２の情報を捕捉するように構成された第２の捕捉手段と、前記エンドデバイスに提供されることになる前記サービスプロファイルに従って、サービスを示す、組み合わされた情報を取得するために、前記第１の情報および前記第２の情報を処理するように構成された処理手段と、前記組み合わされた情報を転送サーバに送信するように構成された送信手段とを含む、移動体端末。
【発明の詳細な説明】
【技術分野】
【０００１】
本主題の発明は、特定のプロファイルに従って、サービスに対するアクセスをエンドデバイスに提供するための方法に関し、前記方法は、
前記特定のプロファイルおよび前記エンドデバイスを識別する情報を転送サーバに送信するステップと、
前記転送サーバが、前記情報に基づいて、データベースから前記特定のプロファイルを取得するステップと、
前記転送サーバが、前記特定のプロファイルに基づいて前記サービスを提供することが可能なサービスマネージャを識別するステップと、
前記転送サーバが、前記サービスに対するアクセスを前記エンドデバイスに提供するように前記サービスマネージャに要求するステップとを含む。
【背景技術】
【０００２】
かかる方法は、Ｐｅｙｍａｎ  Ｆａｒｊａｍｉ、Ｃａｒｍｅｌｉｔａ  ＧｏｅｒｇおよびＦｒａｎｋ  Ｂｅｌｌからの文献「Ａｄｖａｎｃｅｄ  Ｓｅｒｖｉｃｅ  Ｐｒｏｖｉｓｉｏｎｉｎｇ  ｂａｓｅｄ  ｏｎ  Ｍｏｂｉｌｅ  Ａｇｅｎｔｓ」で説明されている。その中で、端末エージェントは、ユーザが要求されたサービスにアクセスすることが許可されるかどうかを検査するためのサービス要求をプロバイダエージェントに送信する。許可されている場合、プロバイダエージェントは、適切なサービス特定のユーザインターフェースを端末に転送するようにユーザインターフェースエージェントに命令する。
【先行技術文献】
【非特許文献】
【０００３】
【非特許文献１】Ｐｅｙｍａｎ  Ｆａｒｊａｍｉ、Ｃａｒｍｅｌｉｔａ  ＧｏｅｒｇおよびＦｒａｎｋ  Ｂｅｌｌからの文献「Ａｄｖａｎｃｅｄ  Ｓｅｒｖｉｃｅ  Ｐｒｏｖｉｓｉｏｎｉｎｇ  ｂａｓｅｄ  ｏｎ  Ｍｏｂｉｌｅ  Ａｇｅｎｔｓ」
【発明の概要】
【発明が解決しようとする課題】
【０００４】
この文献で説明される方法の欠点は、端末エージェントが、要求されたサービスに特定の情報／プロファイルを認識しなければならないことである。
【０００５】
知られている文献で説明される方法を、上述の欠点を伴わずに提供することが本主題の発明の目的である。
【課題を解決するための手段】
【０００６】
この目的は、前記情報が、前記エンドデバイスと移動体デバイスとの間の近接性ベースの相互作用によって取得され、前記情報が、前記エンドデバイスを識別する第１の部分と、前記特定のプロファイルを識別する前記第２の部分とからなり、前記第２の部分が、前記移動体デバイスの中に格納されていることを特徴とする、本発明による方法によって実現される。このようにして、エンドデバイスは、前記サービスに特定の情報を認識する必要がない。
【０００７】
本発明の第１の特徴は、前記方法が、前記移動体デバイスが別のエンドデバイスとの近接性ベースの相互作用によって前記情報の前記第２の部分を取得する、追加のステップを含むことである。このようにして、サービスプロファイルに特定の情報は、移動体デバイス内に事前に格納される必要がなく、そのサービスは、別のデバイスによって使用されるプロファイルに従って提供され得る。
【０００８】
本発明の別の特徴は、前記移動体デバイスが、ＲＦＩＤタグ読取装置を有する移動体端末であり、前記エンドデバイスがＲＦＩＤタグを備え、前記ＲＦＩＤタグが、前記情報の前記第１の部分を含み、前記ＲＦＩＤタグ読取装置が、前記情報の前記第１の部分を捕捉し、前記移動体デバイスが、前記情報の前記第１の部分を、情報を取得するために前記情報の前記第２の部分と組み合わせて、前記情報を前記転送サーバに送信することである。このようにして、エンドデバイスは、要求されたサービスを取得する目的で、転送サーバとの通信を可能にするように構成される必要がない。これに対する代替形態は、前記移動体デバイスが、第１のＲＦＩＤ送受信機を有する移動体端末であり、前記エンドデバイスが第２のＲＦＩＤ送受信機を備え、前記情報の前記第１の部分が、前記第２の送受信機から前記第１の送受信機に送信され、前記移動体デバイスが、前記情報の前記第１の部分を、情報を取得するために前記情報の前記第２の部分と組み合わせて、前記情報を前記転送サーバに送信することである。場合によっては、２つの言及されたＲＦＩＤ送受信機のうちの１つは、ＲＦＩＤタグをエミュレートすることが可能である。
【０００９】
上の第１の特徴に対する代替形態は、前記移動体デバイスがＲＦＩＤタグを備え、前記エンドデバイスがＲＦＩＤタグ読取装置を含み、前記情報の前記第２の部分が、前記タグ内に格納されており、前記情報の前記第１の部分が、前記エンドデバイス内に格納されており、前記ＲＦＩＤタグ読取装置が、前記情報の前記第２の部分を捕捉し、前記エンドデバイスが、前記情報の前記第１の部分を、情報を取得するために前記情報の前記第２の部分と組み合わせて、前記情報を前記転送サーバに送信し、その結果、移動体端末が転送サーバとの通信を必要としないことである。
【００１０】
エンドデバイスは、例えば、セットトップボックス、ＰＣ、または住居のゲートウェイであってよく、エンドデバイスは移動体端末であってもよい。
【００１１】
上述の方法に加えて、本発明は、この方法を実現するための移動体デバイスおよびエンドデバイスにも関する。
【００１２】
本発明のこれらのおよびその他の態様は、本発明による方法が実現される３つのシステムを表す図１、２、および３を参照することから明らかになり、解明されることになる。
【００１３】
例えば、「受信するため」、「送信するため」、「検出するため」、「調整するため」などにおける「ため」という表現は、同時であろうとなかろうと、その他の機能も同様に実行されることを排除しない点に留意されたい。「Ｙに結合されたＸ」および「ＸとＹとの間の結合」、ならびに「ＸとＴとを結合する／結合すること」などの表現は、要素ＺがＸとＹとの間にあることを排除しない。「ＰはＱを備える」および「Ｑを備えるＰ」などの表現は、要素Ｒも同様に備えられている／含まれていることを排除しない。「ａ」および「ａｎ」という用語は、１つまたは複数の複数状態の考えられる存在を排除しない。
【００１４】
近接性ベースの相互作用は、オブジェクト、デバイス、または人物の物理的な密接さが伴う、すべての相互作用手段および相互作用方法と定義され得る点にも留意されたい。近接性ベースの相互作用は、無線周波数検出または無線周波数通信、ＲＦＩＤ、ＮＦＣ、ＩＲ、コンピュータビジョン、容量検出、光センサ、．．．に基づき得る。やはり使用されるタッチベースの相互作用という専門用語は、近接性ベースの相互作用のサブセットと見なされるべきである。
【００１５】
加えて、本明細書で参照されるＲＦＩＤ技術は、近距離無線通信技術、ＥＰＣ（エレクトロニックプロダクトコード）グローバル技術、および関連技術も含むことが意図され、このＲＦＩＤ技術の実装に関して言及されるタグおよびタグ読取装置は、バーコード、ＩＲ通信、画像認識などに置き換えられることが可能である。
【図面の簡単な説明】
【００１６】
【図１】加入契約転送サーバ（ＳＴＳ）、ＳＴＳと相互に作用するＩＰＴＶ加入契約マネージャ（ＩＰＴＶ  ＳＭ）によって制御されているＩＰＴＶセットトップボックス（ＩＰＴＶ  ＳＴＢ）と相互に作用することが可能な移動体端末（ＭＴ）を表す。
【図２】移動体端末ＭＴ１が、加入契約転送サーバＳＴＳ１と相互に作用することが可能であり、ＰＣ（ＰＣ１）が、ＳＴＳ１と相互に作用する加入契約マネージャ（ＳＭ）によって制御されている、本主題の発明による方法を実現する代替のシステムを示す。
【図３】（タグを含む）トークンＴがユーザによって持ち運ばれ、住居のゲートウェイ（ＲＧ）が加入契約転送サーバＳＴＳ２およびホームサービス／デバイスマネージャ（ＨＳＤＭ）と相互に作用することが可能な、本主題の発明による方法を実現する、さらに別の代替システムを示す。
【発明を実施するための形態】
【００１７】
図１は、加入契約転送サーバ（ＳＴＳ）、ＳＴＳと相互に作用するＩＰＴＶ加入契約マネージャ（ＩＰＴＶ  ＳＭ）によって制御されているＩＰＴＶセットトップボックス（ＩＰＴＶ  ＳＴＢ）と相互に作用することが可能な移動体端末（ＭＴ）を表す。ＳＴＳは、ユーザ加入契約データベース（ＵＳＤ）に接続される。ＭＴはＲＦＩＤタグ読取装置（図示せず）を備え、ＩＰＴＶ  ＳＴＢは、ＲＦＩＤタグ（やはり図示せず）を含むか、またはその代わりに、ＩＰＴＶ  ＳＴＢに接着されたＲＦＩＤタグを有してもよい。ユーザがＭＴを用いてＩＰＴＶ  ＳＴＢに触れるとき、ＭＴ内に含まれた捕捉手段は、タグ読取装置によって読み取られたタグの識別性を捕捉する。ＭＴは、その移動体電話識別性をその中に格納し、捕捉された識別性をその独自の格納された識別性と組み合わせ、両方の識別を処理して、組み合わされた情報をＳＴＳに送信する。次いで、ＳＴＳは、受信された情報に基づいて、ユーザのサービスプロファイルに関して示し、ユーザに利用可能な加入契約およびサービス（チャネル、ＶｏＤなど）に関するデータをＵＳＤから取り出して、触れられたＩＰＴＶ  ＳＴＢの位置においてそれらの加入契約およびサービスをアクティブ化するように関連するＩＰＴＶ  ＳＭに命令する。ＵＳＤは、組み合わされた情報と上述のデータとの間のプリコーディングされたリンクを含む。何の情報が加入契約／サービスを画定するかに応じて、捕捉された情報は、代替の実施形態では、独自のセットトップボックス識別性、前記セットトップボックスに特定のサービス終点を指すＵＲＩ（ユニフォームリソース識別子）、またはタグ上に格納された前記セットトップボックスのＩＰアドレスであってよい。また、移動体端末からの情報部分は、あるいは、移動体電話に関連する電話番号、移動体電話内のＳＩＭカードに特定の識別性、移動体電話を操作しているユーザに特定の識別性、またはユーザ名であってもよい。加えて、移動体電話は、ＰＤＡに置き換えられることが可能である。移動体電話内に格納された識別性は、事前に設置されることが可能であるが、代替の実施形態では、ＭＴは、必要とされる識別性を別のＩＰＴＶセットトップボックスから取り出すことが可能なように構成され得る。このようにして、ユーザは、例えば、そのユーザの休暇用アパートのセットトップボックスを経由して、そのユーザの自宅のＩＰＴＶ加入契約に対するアクセスを有することが可能である。
【００１８】
図２は、移動体端末ＭＴ１が、加入契約転送サーバＳＴＳ１と相互に作用することが可能であり、ＰＣ（ＰＣ１）が、ＳＴＳ１と相互に作用する加入契約マネージャ（ＳＭ）によって制御されている、本主題の発明による方法を実現する代替のシステムを示す。ＳＴＳ１は、ＰＣ１に関連するユーザ加入契約データベース（ＵＳＤ１）に接続される。ＭＴ１は、ＲＦＩＤタグ読取装置（図示せず）を備え、ＰＣ１の画面は、そのＰＣ１に接着されたＲＦＩＤタグを有する。ユーザがＭＢ１を用いてＰＣ１に触れるとき、タグの識別性がタグ読取装置によって捕捉される。ＭＢ１は、この識別性をその移動体電話の識別性と組み合わせて、組み合わされた情報をＳＴＳ１に送信する。次いで、ＳＴＳ１は、受信された情報に基づいて、ユーザに利用可能な加入契約およびサービスに関する情報を取り出して、触れられたＰＣ１の位置においてこれらの加入契約およびサービスをアクティブ化するようにＳＭに命令する。この加入契約は、例えば、自宅におけるユーザのＤＳＬ加入契約であり得る。その場合、ＳＭは、ＤＳＬ加入契約マネージャであり得る。ＰＣ１は、例えば、インターネットカフェのＰＣであり得る。何の情報が加入契約／サービスを画定するかに応じて、捕捉された情報は、代替の実施形態では、ＰＣ１に特定のタグｉＤ、ＰＣ１に特定の識別性、ＰＣ１を操作しているユーザに特定の識別性、ＰＣ１を操作しているユーザのユーザ名、またはＰＣ１のＩＰアドレスであってよい。この場合も、移動体端末からの情報部分は、あるいは、移動体電話に関連する電話番号、移動体電話内のＳＩＭカードに特定の識別性、移動体電話を操作しているユーザに特定の識別性、もしくはユーザ名であってよく、ＰＤＡトークンまたはＲＦＩＤトークンに置き換えられることが可能である。セットトップボックス実施形態の場合と同様、この場合も、必要な情報は、移動体端末内に事前に格納されることが可能であり、または別のＰＣから取り出されることも可能である。
【００１９】
図３は、（タグを含む）トークンＴがユーザによって持ち運ばれ、住居のゲートウェイ（ＲＧ）が加入契約転送サーバＳＴＳ２およびホームサービス／デバイスマネージャ（ＨＳＤＭ）と相互に作用することが可能な、本主題の発明による方法を実現する、さらに別の代替システムを示す。ＳＴＳ２は、ＨＳＤＭに関連するユーザ加入契約データベース（ＵＳＤ２）に接続される。ＲＧは、タグ読取装置（図示せず）を備える。ユーザがＴを用いてＲＧに触れるとき、タグの識別性がタグ読取装置によって捕捉される。ＲＧは、この識別性をその独自の識別性と組み合わせて、組み合わされた情報をＳＴＳ２に送信する。次いで、ＳＴＳ２は、受信された情報に基づいて、ＭＧに利用可能な加入契約およびサービスに関する情報を取り出して、触れられたＭＧの位置においてこれらの加入契約およびサービスをアクティブ化するようにＨＳＤＭに命令する。この加入契約は、例えば、ユーザの独自のファイアウォール設定であってよく、一方、住居のゲートウェイは、友人の自宅に配置される。図３に示されるシステムの代替実装形態は、住居のゲートウェイに取り付けられたタグと、ユーザによって持ち運ばれるタグ読取装置とを有することであろう。
【００２０】
上記の実装形態の場合のように、組合せタグ／タグ読取装置を有する代わりに、端末とエンドデバイス（セットトップボックス、ＰＣ、住居のゲートウェイ）の両方が、インターワーキングＲＦＩＤ送受信機を備えることも可能である。あるいは、これらの送受信機のうちの１つがＲＦＩＤタグをエミュレートすることも可能である。
【００２１】
当技術分野においてよく知られている上述の実施形態の要素は、したがって、詳細に説明されていない。加えて、ＭＴ（ＭＴ１）およびＲＧの機能的な説明に基づいてこれらを実現することは当業者に明らかであるため、これは詳細に説明されない。
【図１】
0005542129.tif 000002
【図２】
0005542129.tif 000003
【図３】
0005542129.tif 000004